(57)【要約】【課題】電食を防止した上で、軽量化を実現した電線を提供する。【解決手段】電線１０は、アルミニウム又はアルミニウム合金からなるアルミニウム線１１と、銅又は銅合金からなる銅線１２とを複合してなる導体部１３を備えている。アルミニウム線１１が径方向内側に配置され、銅線１２は径方向外側に配置されている。端子金具２０は、銅系材料で構成され、電線１０の端末にて露出された端末導体部１３Ａに圧着される圧着部２１を備えている。端末導体部１３Ａには銅線１２が接続されている。これによれば、アルミニウム線１１が含まれるため、軽量化が実現され、また、圧着部２１と端末導体部１３Ａとが銅系の金属同士で接続されため、電食が防止される。【選択図】図１
2010044995.tif 000002
【特許請求の範囲】
【請求項１】
アルミニウム又はアルミニウム合金からなるアルミニウム線と、銅又は銅合金からなる銅線とを複合してなる導体部を備え、
前記アルミニウム線を径方向内側に配置し、前記銅線を径方向外側に配置していることを特徴とする電線。
【請求項２】
電線と端子金具との接続構造であって、
前記電線は、アルミニウム又はアルミニウム合金からなるアルミニウム線と、銅又は銅合金からなる銅線とを複合してなる導体部を備え、かつ前記アルミニウム線を径方向内側に配置し、前記銅線を径方向外側に配置しており、
前記端子金具は、銅系材料で構成され、前記電線の端末にて露出された前記導体部に圧着される圧着部を備え、
前記圧着部が前記銅線に接続されていることを特徴とする接続構造。
【発明の詳細な説明】
【技術分野】
【０００１】
本発明は、電線、及び電線と端子金具との接続構造に関する。
【背景技術】
【０００２】
従来より、アルミニウムの素線を撚り合わせて導体部を構成したアルミニウム電線が知られている（例えば、特許文献１を参照）。このようなアルミニウム電線は、軽量化の要請がある場合に、銅電線に代わって用いられることがある。
【特許文献１】特開２００４−２５３１９８公報
【発明の開示】
【発明が解決しようとする課題】
【０００３】
ところで、アルミニウム電線の端末では被覆の除去によって導体部が露出されており、この露出された導体部には端子金具の圧着片がかしめ付けられるようになっている。しかし、端子金具は、通常、アルミニウム電線とは異種の銅系材料で構成されているため、圧着片と導体部との間に水分が介在すると、圧着片と導体部との間に生じる電位差によって電食が発生するおそれがある。一方、銅電線を用いれば、このような電食の懸念を解消できるものの、軽量化の要請に応えることができないという問題がある。また、アルミニウム電線に対してアルミニウム系材料からなる端子金具を用いた場合には、圧着片等の撓み部分の強度を十分に確保し得ないという事情もある。
【０００４】
本発明は上記のような事情に基づいて完成されたものであって、電食を防止した上で、軽量化を実現することを目的とする。
【課題を解決するための手段】
【０００５】
上記の目的を達成するための手段として、請求項１の発明は、アルミニウム又はアルミニウム合金からなるアルミニウム線と、銅又は銅合金からなる銅線とを複合してなる導体部を備え、前記アルミニウム線を径方向内側に配置し、前記銅線を径方向外側に配置している構成としたところに特徴を有する。
【０００６】
請求項２の発明は、電線と端子金具との接続構造であって、前記電線は、アルミニウム又はアルミニウム合金からなるアルミニウム線と、銅又は銅合金からなる銅線とを複合してなる導体部を備え、かつ前記アルミニウム線を径方向内側に配置し、前記銅線を径方向外側に配置しており、前記端子金具は、銅系材料で構成され、前記電線の端末にて露出された前記導体部に圧着される圧着部を備え、前記圧着部が前記銅線に接続されている構成としたところに特徴を有する。
【発明の効果】
【０００７】
＜請求項１又は請求項２の発明＞
電線の導体部にはアルミニウム線が含まれるため、軽量化が実現される。また、導体部はアルミニウム線を径方向内側に配置し、銅線を径方向外側に配置しているため、導体部に銅系材料からなる端子金具の圧着部が圧着されたときに、圧着部が銅線に接続される。したがって、圧着部と導体部とが同系の金属同士で接続されることとなり、電食が防止される。なお、アルミニウム線と銅線との間は、アルミニウム線の表面に形成される酸化被膜によって実質的に絶縁状態に保つことができる。
【発明を実施するための最良の形態】
【０００８】
＜実施形態１＞
本発明の実施形態１を図１及び図２によって説明する。本実施形態の電線１０は、アルミニウム線１１と銅線１２とを複合して構成される導体部１３と、導体部１３の外周に被覆される絶縁部１４とからなる。絶縁部１４は、例えば、ポリ塩化ビニル、ポリエチレン等の一般的に電線１０に用いられる周知の材料で構成されている。
【０００９】
アルミニウム線１１は１本以上のアルミニウム素線１１Ａからなり、アルミニウム系材料（アルミニウム又はアルミニウムを多く含むアルミニウム合金からなる材料）によって形成されている。好ましくはアルミニウム線１１は、複数本を撚り合わせて構成されている。アルミニウム素線１１Ａの断面積は、通電容量を考慮して銅線１２よりも大きくなっている。
【００１０】
このアルミニウム線１１は、電線１０の中心側（電線１０の中心を含む）である径方向（図１に示すＸ方向）の内側に配置されている。図示する場合は、電線１０の中心部に、２本のアルミニウム素線１１Ａが径方向（図１に示すＹ方向）に沿いつつ横並びで配置されている。端子金具２０の圧着部２１（後述する）が電線１０に圧着される前では、図示Ｙ方向におけるアルミニウム線１１の両脇に、絶縁部１４との間に逃がし空間１６が保有されている一方、圧着部２１が電線１０に圧着された後では、電線１０が径方向（図１に示すＸ方向）に押し潰されて、逃がし空間１６に銅線１２が進入するようになっている。
【００１１】
銅線１２は１本以上の銅素線１２Ａからなり、銅系材料（銅又は銅を多く含む銅合金からなる材料）によって形成されている。好ましくは銅素線１２Ａは、複数本を撚り合わせて構成されている。
【００１２】
この銅線１２は、電線１０の絶縁部１４寄りの位置である径方向（図１に示すＸ方向）の外側に配置されている。図示する場合、銅線１２は、アルミニウム線１１を挟んで径方向外側に配置されており、上述したように、端子金具２０との接続前の状態においては、逃がし空間１６には実質的に非進入とされている。本実施形態の場合、銅線１２の総断面積はアルミニウム線１１の総断面積よりも大きく、これにより所定の導電性が確保されている。もっとも、銅線１２の総断面積は、アルミニウム線１１の総断面積よりも小さくてもよく、あるいはアルミニウム線１１の総断面積と同じであってもよい。
【００１３】
端子金具２０はその全体が銅系材料（銅又は銅を多く含む銅合金からなる材料）によって形成されている。端子金具２０は電線１０の端末に接続される圧着部２１を備えている。圧着部２１は、電線１０の端末にて絶縁部１４を皮剥ぎして露出される端末導体部１３Ａにかしめ付けられるワイヤバレル２１Ｂと、その後方に位置して電線１０の絶縁部１４にかしめ付けられるインシュレーションバレル（図示せず）とからなる。ワイヤバレル２１Ｂ及びインシュレーションバレルには、オープンバレル状に起立する一対の圧着片２１Ａが形成されている。
【００１４】
導体部１３には圧着部２１による圧着によって径方向内向きの圧縮力が付与され、これにより、銅線１２が逃がし空間１６側へ向けて図１に示す矢線方向に押動されて、銅線１２がアルミニウム線１１の外周りを全体的に包むようになっている。特に、ワイヤバレル２１Ｂでは圧着片２１Ａが略Ｕの字に屈曲されて、圧着片２１Ａの先端が導体部１３に食い込むように作用し、この圧着片２１Ａの先端に銅線１２が接触することで、圧着片２１Ａと電線１０とが電気的に接続されるようになっている。この場合、アルミニウム線１１はワイヤバレル２１Ｂとは実質的に非接触とされている。
【００１５】
以上のように本実施形態によれば、電線１０の導体部１３にアルミニウム線１１が含まれるため、軽量化が実現される。また、導体部１３では、アルミニウム線１１を径方向内側に配置し、銅線１２を径方向外側に配置しているため、導体部１３における端末導体部１３に端子金具２０の圧着部２１におけるワイヤバレル２１Ｂが外側から圧着されたときに、ワイヤバレル２１Ｂが実質的にアルミニウム線１１ではなく銅線１２のほうに接続される。したがって、ワイヤバレル２１Ｂと端末導体部１３Ａとが同種の銅系金属同士で接続されることとなり、異種金属間での接続が回避される結果、電食が防止される。なお、アルミニウム線１１と銅線１２との間は、アルミニウム線１１の表面に形成される酸化被膜によって実質的に絶縁状態に保たれる。また、アルミニウム線１１が電線１０の中心部を占めて芯を構成するため、電線１０が屈曲したときに癖付けを行い易く、電線１０の配策作業性が改善される。
【００１６】
＜他の実施形態＞
本発明は上記記述及び図面によって説明した実施形態に限定されるものではなく、例えば次のような実施形態も本発明の技術的範囲に含まれる。  
（１）アルミニウム素線が多数本存在するときに、全てのアルミニウム素線が電線の中心側に配置されている必要はなく、アルミニウム素線の大部分が電線の中心側に配置されていればよい。  
（２）圧着部で圧着される前に、銅線がアルミニウム線の外周りを全体的に包むように配置されている構成であってもよい。  
（３）クローズドバレル型の端子金具に設けられた筒状の圧着部が端末導体部に圧着される構成であってもよい。  
（４）アルミニウム線の外周が絶縁被膜で被覆され、この絶縁被膜が銅線と接触する構成であってもよい。
【図面の簡単な説明】
【００１７】
【図１】本発明の実施形態１における電線の断面図である。
【図２】電線の端末導体部に端子金具の圧着部が圧着された状態の断面図である。
【符号の説明】
【００１８】
１０…電線
１１…アルミニウム線
１２…銅線
１３…導体部
１４…絶縁部
２０…端子金具
２１…圧着部
【図１】
2010044995.tif 000003
【図２】
2010044995.tif 000004